(57)【要約】  本発明は、インテリジェントシーン削除方法、装置、プログラム及び記録媒体を開示し、インテリジェントホーム分野に属する。前記インテリジェントシーン削除方法は、指定インテリジェントデバイスがアンバンドリングに成功した旨を指示するためのアンバンドリング通知メッセージを受信するステップと、確立されたインテリジェントシーンには、前記指定インテリジェントデバイスを用いて設けられた目標インテリジェントシーンが存在しているか否かを検出するステップと、確立されたインテリジェントシーンには、前記指定インテリジェントデバイスを用いて設けられた目標インテリジェントシーンが存在していれば、前記目標インテリジェントシーンを削除するステップと、を含む。  【選択図】図２
2017519316.tif 000002
【特許請求の範囲】
【請求項１】
指定インテリジェントデバイスがアンバンドリングに成功した旨を指示するためのアンバンドリング通知メッセージを受信するステップと、
確立されたインテリジェントシーンには、前記指定インテリジェントデバイスを用いて設けられた目標インテリジェントシーンが存在しているか否かを検出するステップと、
確立されたインテリジェントシーンには、前記指定インテリジェントデバイスを用いて設けられた目標インテリジェントシーンが存在していれば、前記目標インテリジェントシーンを削除するステップと、を含むことを特徴とするインテリジェントシーン削除方法。
【請求項２】
デスクトップには、削除された前記インテリジェントシーンに対応するデスクトップショートカットが存在しているか否かを検出するステップと、
前記デスクトップには、削除された前記インテリジェントシーンに対応するデスクトップショートカットが存在していれば、前記デスクトップショートカットを削除するステップと、をさらに含むことを特徴とする請求項１に記載のインテリジェントシーン削除方法。
【請求項３】
前記指定インテリジェントデバイスとユーザーアカウント間のバインディング関係を解除するためのアンバンドリング指令を受信するステップと、
前記指定インテリジェントデバイスと前記ユーザーアカウントとのバインディング関係の解除を要求するためのアンバンドリング要求を当該アンバンドリングデバイスへ送信するステップと、をさらに含み、
前記アンバンドリング要求は、前記ユーザーアカウントの各バインディング関係から前記指定インテリジェントデバイスに対応するバインディング関係を削除するように前記アンバンドリングデバイスをトリガし、削除が成功した後で前記アンバンドリング通知メッセージがフィードバックされることを特徴とする請求項１に記載のインテリジェントシーン削除方法。
【請求項４】
確立されたインテリジェントシーンには、前記指定インテリジェントデバイスを用いて設けられた目標インテリジェントシーンが存在しているか否かを検出するステップは、
インテリジェントシーン識別子とインテリジェントデバイス識別子との対応関係から、前記指定インテリジェントデバイスの識別子を有する対応関係があるか否かを検索するサブステップを含み、
前記インテリジェントシーン識別子とインテリジェントデバイス識別子との対応関係は、前記インテリジェントシーンの確立に成功した後で記憶された前記インテリジェントシーンの識別子と前記インテリジェントシーンを確立する時に係るインテリジェントデバイスの識別子との対応関係である、ことを特徴とする請求項１に記載のインテリジェントシーン削除方法。
【請求項５】
確立されたインテリジェントシーンには、前記指定インテリジェントデバイスを用いて設けられた目標インテリジェントシーンが存在していれば、前記指定インテリジェントデバイスが前記目標インテリジェントシーンのトリガ条件を定義するのに用いられているか否かを検出するステップと、
前記指定インテリジェントデバイスが前記目標インテリジェントシーンのトリガ条件を定義するのに用いられていれば、前記目標インテリジェントシーンにおけるトリガ条件を取り替えるか否かを指示待ちするステップと、
取替指令を受信した場合、前記取替指令の指示したインテリジェントデバイスを用いて前記目標インテリジェントデバイスのトリガ条件を取り替えるステップと、をさらに含むことを特徴とする請求項１〜４のいずれか１項に記載のインテリジェントシーン削除方法。
【請求項６】
指定インテリジェントデバイスがアンバンドリングに成功した旨を指示するためのアンバンドリング通知メッセージを受信するように構成される第１の受信モジュールと、
確立されたインテリジェントシーンには、前記指定インテリジェントデバイスを用いて設けられた目標インテリジェントシーンが存在しているか否かを検出するように構成される第１の検出モジュールと、
確立されたインテリジェントシーンには、前記指定インテリジェントデバイスを用いて設けられた目標インテリジェントシーンが存在していると第１の検出モジュールにより検出されれば、前記目標インテリジェントシーンを削除するように構成される第１の削除モジュールと、を備えることを特徴とするインテリジェントシーン削除装置。
【請求項７】
デスクトップには、削除された前記インテリジェントシーンに対応するデスクトップショートカットが存在しているか否かを検出するように構成される第２の検出モジュールと、
前記デスクトップには、削除された前記インテリジェントシーンに対応する前記デスクトップショートカットが存在していると第２の検出モジュールにより検出されれば、前記デスクトップショートカットを削除するように構成される第２の削除モジュールと、をさらに備えることを特徴とする請求項６に記載のインテリジェントシーン削除装置。
【請求項８】
前記指定インテリジェントデバイスとユーザーアカウント間のバインディング関係を解除するためのアンバンドリング指令を受信するように構成される第２の受信モジュールと、
前記指定インテリジェントデバイスと前記ユーザーアカウントとのバインディング関係の解除を要求するためのアンバンドリング要求を当該アンバンドリングデバイスへ送信するように構成される送信モジュールと、をさらに備え、
前記アンバンドリング要求は、前記ユーザーアカウントの各バインディング関係から前記指定インテリジェントデバイスに対応するバインディング関係を削除するように前記アンバンドリングデバイスをトリガし、削除が成功した後で前記アンバンドリング通知メッセージがフィードバックされることを特徴とする請求項６に記載のインテリジェントシーン削除装置。
【請求項９】
前記第１の検出モジュールは、さらに、インテリジェントシーン識別子とインテリジェントデバイス識別子との対応関係から、前記指定インテリジェントデバイスの識別子を有する対応関係があるか否かを検索するように配置され、
前記インテリジェントシーン識別子とインテリジェントデバイス識別子との対応関係は、前記インテリジェントシーンの確立に成功した後で記憶された前記インテリジェントシーンの識別子と前記インテリジェントシーンを確立する時に係るインテリジェントデバイスの識別子との対応関係である、ことを特徴とする請求項６に記載のインテリジェントシーン削除装置。
【請求項１０】
確立されたインテリジェントシーンには、前記指定インテリジェントデバイスを用いて設けられた目標インテリジェントシーンが存在していれば、前記指定インテリジェントデバイスが前記目標インテリジェントシーンのトリガ条件を定義するのに用いられているか否かを検出するように構成される第３の検出モジュールと、
前記指定インテリジェントデバイスが前記目標インテリジェントシーンのトリガ条件を定義するのに用いられていると第３の検出モジュールにより検出されれば、前記目標インテリジェントシーンにおけるトリガ条件を取り替えるか否かを指示待ちするように構成されるプロンプトモジュールと、
取替指令を受信した場合、前記取替指令の指示したインテリジェントデバイスを用いて前記目標インテリジェントデバイスのトリガ条件を取り替えるように構成される取替モジュールと、をさらに備えることを特徴とする請求項６〜９のいずれか１項に記載のインテリジェントシーン削除装置。
【請求項１１】
インテリジェントシーン削除装置であって、
プロセッサと、
前記プロセッサの実行可能な指令を記憶するためのメモリとを備え、
前記プロセッサは、
指定インテリジェントデバイスがアンバンドリングに成功した旨を指示するためのアンバンドリング通知メッセージを受信し、
確立されたインテリジェントシーンには、前記指定インテリジェントデバイスを用いて設けられた目標インテリジェントシーンが存在しているか否かを検出し、
確立されたインテリジェントシーンには、前記指定インテリジェントデバイスを用いて設けられた目標インテリジェントシーンが存在していれば、前記目標インテリジェントシーンを削除するように構成される、ことを特徴とするインテリジェントシーン削除装置。
【発明の詳細な説明】
【技術分野】
【０００１】
本発明は、インテリジェントホーム分野に関し、特に、インテリジェントシーン削除方法及び装置に関する。
【背景技術】
【０００２】
インテリジェントホームでは、様々なインテリジェントシーンを有効に実現するために、複数のインテリジェントデバイスをバインディングし、バインディングされたインテリジェントデバイスを用いて異なるインテリジェントシーンを定義することができる。例えば、あるインテリジェントシーンを設ける際、バインディングに成功した第１のインテリジェントデバイスを用いて当該インテリジェントシーンのトリガ条件を設け、それから、バインディングに成功した第２のインテリジェントデバイスが対応動作を実行するように設けられることができる。
【０００３】
ユーザがあるインテリジェントデバイスをアンバンドリングした後、当該インテリジェントデバイスを用いて定義されたインテリジェントシーンをも削除する必要がある。これらインテリジェントシーンを削除する際、これらインテリジェントシーンのうちの１つを順に選択し、かつ、当該インテリジェントシーンを削除する削除コントロールをトリガし、デバイスは当該削除コントロールがトリガされたときに生成される削除指令に応じて、当該インテリジェントシーンを削除する。
【発明の概要】
【課題を解決するための手段】
【０００４】
本発明は、インテリジェントシーン削除方法及び装置を提供する。上記技術案は下記の通りである。
【０００５】
本発明の実施例の第１の態様によれば、指定インテリジェントデバイスがアンバンドリングに成功した旨を指示するためのアンバンドリング通知メッセージを受信するステップと、確立されたインテリジェントシーンには、前記指定インテリジェントデバイスを用いて設けられた目標インテリジェントシーンが存在しているか否かを検出するステップと、確立されたインテリジェントシーンには、前記指定インテリジェントデバイスを用いて設けられた目標インテリジェントシーンが存在していれば、前記目標インテリジェントシーンを削除するステップと、を含むインテリジェントシーン削除方法を提供する。
【０００６】
本発明の実施例の第２の態様によれば、指定インテリジェントデバイスがアンバンドリングに成功した旨を指示するためのアンバンドリング通知メッセージを受信するように構成される第１の受信モジュールと、確立されたインテリジェントシーンには、前記指定インテリジェントデバイスを用いて設けられた目標インテリジェントシーンが存在しているか否かを検出するように構成される第１の検出モジュールと、確立されたインテリジェントシーンには、前記指定インテリジェントデバイスを用いて設けられた目標インテリジェントシーンが存在していると第１の検出モジュールにより検出されれば、前記目標インテリジェントシーンを削除するように構成される第１の削除モジュールと、を含むインテリジェントシーン削除装置を提供する。
【０００７】
本発明の実施例の第３の態様によれば、プロセッサと、前記プロセッサの実行可能な指令を記憶するためのメモリとを備える装置であって、前記プロセッサは、指定インテリジェントデバイスがアンバンドリングに成功した旨を指示するためのアンバンドリング通知メッセージを受信し、確立されたインテリジェントシーンには、前記指定インテリジェントデバイスを用いて設けられた目標インテリジェントシーンが存在しているか否かを検出し、確立されたインテリジェントシーンには、前記指定インテリジェントデバイスを用いて設けられた目標インテリジェントシーンが存在していれば、前記目標インテリジェントシーンを削除するように構成される、インテリジェントシーン削除装置を提供する。
【発明の効果】
【０００８】
本発明の実施例で提供される技術案は、下記の格別な効果を含むことができる。指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる削除操作が複雑でわかりにくいという課題を解決し、正常に実行できないインテリジェントシーンを迅速に削除し、正常に実行できないインテリジェントシーンの削除時における削除操作を簡素化するという効果を奏する。
【０００９】
上述した一般な記述及び後続の詳細な記述は、単に例示の及び解釈であり、本発明を制限できるものでないと理解されるべきである。
【図面の簡単な説明】
【００１０】
ここでの図面は、明細書を構成する一部として見なされ、本開示に適した実施例を示し、かつ、明細書の文字記載とともに本開示の仕組みを解釈するために用いられる。
【図１】一部の実施例に示すインテリジェントシーン削除方法に係る実施環境の模式図である。
【図２】一実施例に示すインテリジェントシーン削除方法に係るフローチャートである。
【図３Ａ】別の実施例に示すインテリジェントシーン削除方法に係るフローチャートである。
【図３Ｂ】一実施例で提供されるスマートブレスレットのバンドリングを解除する模式図である。
【図３Ｃ】一実施例で提供される目標インテリジェントシーンを削除した後でのインテリジェントシーンリスト表示インターフェースの模式図である。
【図３Ｄ】一実施例で提供されるデスクトップショートカットを削除する模式図である。
【図４Ａ】更なる実施例に示すインテリジェントシーン削除方法に係るフローチャートである。
【図４Ｂ】一実施例で提供されるインテリジェントデバイスにおけるトリガ条件を取り替える模式図である。
【図５】一実施例に示すインテリジェントシーン削除装置に係るブロック図である。
【図６】別の実施例に示すインテリジェントシーン削除装置に係るブロック図である。
【図７】一実施例に示すインテリジェントシーンを削除するための装置に係るブロック図である。
【発明を実施するための形態】
【００１１】
次に、実施例を詳細に説明し、例示が図に示されている。以下の記述が図に係る場合、別途にて示さない限り、異なる図面における同じ数字は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置及び方法の例に過ぎない。
【００１２】
図１は、一部の実施例に示すインテリジェントシーン削除方法に係る実施環境の模式図である。図１に示すように、当該実施環境は、バインディングされた少なくとも１つのインテリジェントデバイス１２０とアンバンドリングデバイス１４０を含んでも良い。
【００１３】
インテリジェントデバイス１２０は、スマートフォン、スマートテレビ、スマートソケット、インテリジェントウォーターディスペンサー、インテリジェント体重計、ウェアラブルデバイス、電子ブックリーダー、マルチメディアプレーヤー、ラップトップ型携帯可能なコンピュータ及びデスクトップコンピューターなどであっても良い。そのうちのウェアラブルデバイスは、スマートブレスレット、インテリジェントキーチェーン、スマートウォッチ、インテリジェントタイクリップ、スマートリングといったユーザに着用可能なデバイスであっても良い。各インテリジェントデバイス１２０は通常、同一ローカルエリアネットワーク内に位置する。
【００１４】
アンバンドリングデバイス１４０は、一台のネットワーク側デバイス、例えば、ルータまたはサーバなどであってもよく、または、複数台のネットワーク側デバイスからなるネットワーク側デバイスクラスタであってもよく、または、１つのクラウド算出サービスセンターであっても良い。
【００１５】
図２は、一実施例に示すインテリジェントシーン削除方法に係るフローチャートである。図２に示すように、当該インテリジェントシーン削除方法は、図１に示す実施環境における１つのインテリジェントデバイス１２０に用いられてもよく、当該インテリジェントシーン削除方法は、さらに、図１に示す実施環境におけるローカルエリアネットワークに位置しない１つのインテリジェントデバイスに用いられてもよく、ここで言うインテリジェントデバイスは、操作画面を有するデバイス、例えば携帯電話、コンピュータなどであっても良い。当該インテリジェント削除方法は以下のステップを含む。
【００１６】
ステップ２０１では、指定インテリジェントデバイスがアンバンドリングに成功した旨を指示するためのアンバンドリング通知メッセージを受信する。
【００１７】
インテリジェントホームにおいて、ユーザは、自宅のローカルエリアネットワーク内に位置する各種のインテリジェントデバイスを自分のユーザーアカウントとバインディングしてもよく、既にユーザーアカウントとバインディングされたインテリジェントデバイスをアンバンドリングしてもよく、すなわち、当該インテリジェントデバイスと当該ユーザーアカウントとのバインディング関係を解除する。
【００１８】
ステップ２０２では、確立されたインテリジェントシーンには、当該指定インテリジェントデバイスを用いて設けられた目標インテリジェントシーンが存在しているか否かを検出する。
【００１９】
例を挙げると、インテリジェントシーンを設ける際に、若し、第１のインテリジェントデバイスを用いてトリガ条件を設け、第２のインテリジェントデバイスを用いて対応する実行動作を設ければ、当該インテリジェントシーンとしては、設定された第１のインテリジェントデバイスがトリガ条件を満たすとき、設定された第２のインテリジェントデバイスが設定された対応動作を実行するように実現する。
【００２０】
好ましくは、トリガ条件を設ける際に、１つまたは１つ以上の第１のインテリジェントデバイスによって構成されても良い。好ましくは、動作を実行する第２のインテリジェントデバイスを設ける際に、１つまたは１つ以上の第２のインテリジェントデバイスがそれぞれ同じまたは異なる動作を実行するように構成されても良い。
【００２１】
ステップ２０３では、確立されたインテリジェントシーンには、当該指定インテリジェントデバイスを用いて設けられた目標インテリジェントシーンが存在していれば、当該目標インテリジェントシーンを削除する。
【００２２】
このように、本発明の実施例で提供されるインテリジェントシーン削除方法は、指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００２３】
図３Ａは、別の実施例に示すインテリジェントシーン削除方法に係るフローチャートである。図３Ａに示すように、当該インテリジェントシーン削除方法は、図１に示す実施環境における１つのインテリジェントデバイス１２０に用いられてもよく、当該インテリジェントシーン削除方法は、さらに、図１に示す実施環境におけるローカルエリアネットワークに位置しない１つのインテリジェントデバイスに用いられてもよい。ここで、インテリジェントデバイスは、操作画面を有するデバイス、例えば携帯電話、コンピュータなどであっても良い。当該インテリジェント削除方法は以下のステップを含む。
【００２４】
ステップ３０１では、当該指定インテリジェントデバイスとユーザーアカウント間のバインディング関係を解除するためのアンバンドリング指令を受信する。
【００２５】
インテリジェントホームにおいて、ユーザは、自家のローカルエリアネットワーク内に位置する各種のインテリジェントデバイスを自分のユーザーアカウントとバインディングしてもよく、既にユーザーアカウントとバインディングされたインテリジェントデバイスをアンバンドリングしてもよく、すなわち、当該インテリジェントデバイスと当該ユーザーアカウントとのバインディング関係を解除する。
【００２６】
一般的には、バインディング工程において、ユーザが所持する電子デバイス（例えば携帯電話またはタブレットコンピュータなど）は、バインディングする必要があるインテリジェントデバイスの識別子と電子デバイスに登録されたユーザーアカウントをバインディングデバイスに送信してもよく、バインディングデバイスは、当該インテリジェントデバイスの識別子と当該ユーザーアカウントのバインディング関係を記憶し、当該ユーザーアカウントへの当該インテリジェントデバイスのバインディングが完成される。
【００２７】
明らかに、ユーザは、さらに、インテリジェントデバイスとユーザーアカウントとのバインディング関係を解除しても良い。例えば、ユーザは、当該ユーザーアカウントが登録された電子デバイスにおいて、当該ユーザーアカウントが既にバインディングに成功した１つまたは複数のインテリジェントデバイスを見て、そのうち１つの指定されたインテリジェントデバイスと当該ユーザーアカウントとのバインディング関係を選択して解除してもよく、対応的に、電子デバイスは、ユーザが当該指定インテリジェントデバイスとユーザーアカウント間のバインディング関係を解除するアンバンドリング指令を受信することができる。
【００２８】
図３Ｂは、一実施例で提供されるスマートブレスレットのバンドリングを解除する模式図を示し、ユーザが「接続を解除」ウィジェットをクリックした後、電子デバイスは、当該スマートブレスレットとユーザーアカウントとのバインディング関係を解除するためのアンバンドリング指令を受信する。
【００２９】
ステップ３０２では、当該指定インテリジェントデバイスと当該ユーザーアカウントとのバインディング関係の解除を要求するためのアンバンドリング要求を当該アンバンドリングデバイスへ送信し、当該アンバンドリング要求は、当該ユーザーアカウントの各バインディング関係から当該指定インテリジェントデバイスに対応するバインディング関係を削除するようにアンバンドリングデバイスをトリガし、削除が成功した後でアンバンドリング通知メッセージがフィードバックされる。
【００３０】
当該指定インテリジェントデバイスと当該ユーザーアカウントとのアンバンドリングに成功することを可能にするために、アンバンドリングの関連情報をアンバンドリングデバイスに知らせる必要があり、このとき、アンバンドリング指令を受信した電子デバイスは、当該指定インテリジェントデバイスと当該ユーザーアカウントとのバインディング関係の解除を要求するためのアンバンドリング要求をアンバンドリングデバイスへ送信することができる。対応して、アンバンドリングデバイスは、当該アンバンドリング要求を受信した後、当該指定インテリジェントデバイスと当該ユーザーアカウントとのバインディング関係が存在しているか否かを検出することができ、アンバンドリングデバイスには、当該指定インテリジェントデバイスと当該ユーザーアカウントとのバインディング関係が存在していれば、アンバンドリングデバイスにおいて、記憶された当該指定インテリジェントデバイスと当該ユーザーアカウントとのバインディング関係を削除すると共に、削除が成功した後でアンバンドリング通知メッセージを当該電子デバイスへフィードバックする。
【００３１】
ステップ３０３では、指定インテリジェントデバイスがアンバンドリングに成功した旨を指示するためのアンバンドリング通知メッセージを受信する。
【００３２】
ステップ３０４では、確立されたインテリジェントシーンには、当該指定インテリジェントデバイスを用いて設けられた目標インテリジェントシーンが存在しているか否かを検出する。
【００３３】
電子デバイスがアンバンドリングデバイスから送信されたアンバンドリング通知メッセージを受信したことは、アンバンドリングデバイスが既に指定インテリジェントデバイスとユーザーアカウント間のバインディング関係のアンバンドリングに成功したことを意味しており、当該指定インテリジェントデバイスと当該ユーザーアカウントとがバインディングされていないため、当該指定インテリジェントデバイスを用いて設定されたインテリジェントシーンを削除する。このとき、電子デバイスは、確立されたインテリジェントシーンには、当該指定インテリジェントデバイスを用いて設けられた目標インテリジェントシーンが存在しているか否かを検出しても良い。
【００３４】
例を挙げると、ユーザのスマートブレスレットがなくなった場合、以前で家庭のローカルエリアネットワークにおいて当該スマートブレスレットを用いて設けられたインテリジェントシーンは通常は適用されなくなり、例えば、当該スマートブレスレットを用いてあるインテリジェントシーンのトリガ条件を設けており、スマートブレスレットがなくなったので、当該ローカルエリアネットワーク内には当該スマートブレスレットで定義されたトリガ条件が満たされておらず、よって、当該スマートブレスレットに係るインテリジェントシーンをキャンセルすることができる。
【００３５】
好ましくは、ステップ３０４の前に、当該指定インテリジェントデバイスに関するインテリジェントシーンを削除するか否かを指示待ちするためのプロンプト情報を表示するステップをさらに含んでも良い。ユーザが当該プロンプト情報を見た後、若し、当該プロンプト情報における削除コントロールをトリガすれば、電子デバイスは、当該指定インテリジェントデバイスに関するインテリジェントシーンの削除を指示するための削除指令を受信し、ステップ３０４を実行する。
【００３６】
電子デバイスが、確立されたインテリジェントシーンに、当該指定インテリジェントデバイスを用いて設けられた目標インテリジェントシーンが存在しているか否かを検出するステップは、インテリジェントシーン識別子とインテリジェントデバイス識別子との対応関係から、当該指定インテリジェントデバイスの識別子を有する対応関係があるか否かを検索するサブステップを含んでもよく、当該インテリジェントシーン識別子とインテリジェントデバイス識別子との対応関係は、当該インテリジェントシーンの確立に成功した後で記憶された当該インテリジェントシーンの識別子と当該インテリジェントシーンを確立する時に係るインテリジェントデバイスの識別子との対応関係である。
【００３７】
一般的には、インテリジェントシーンが確立された後で、インテリジェントシーンを確立する中に係るインテリジェントデバイスの識別子と当該インテリジェントシーンの識別子とを対応付けて記憶しても良い。
【００３８】
例を挙げると、インテリジェントシーンは、第１のインテリジェントデバイスを用いてトリガ条件を設け、第２のインテリジェントデバイスを用いて対応動作を実行するものであり、このとき、当該第１のインテリジェントデバイスの識別子、当該第２のインテリジェントデバイスの識別子と当該インテリジェントシーンの識別子との対応関係を記憶しても良い。
【００３９】
ステップ３０５では、確立されたインテリジェントシーンには、当該指定インテリジェントデバイスを用いて設けられた目標インテリジェントシーンが存在していれば、当該目標インテリジェントシーンを削除する。
【００４０】
指定インテリジェントデバイスがバインディングを解除されたことは、ユーザが当該インテリジェントデバイスを利用できなくなることを意味しており、このとき、確立されたインテリジェントシーンには、当該指定インテリジェントデバイスを用いて設けられた目標インテリジェントシーンが存在していれば、当該目標インテリジェントシーンを直接削除することができる。削除された目標インテリジェントシーンは表示または利用されなくなる。
【００４１】
当該目標インテリジェントシーンを削除した後、ユーザーアカウントのインテリジェントシーンのリストには、当該削除された目標インテリジェントシーンを引き続き表示しなくなる。図３Ｃは、一実施例で提供される目標インテリジェントシーンを削除した後におけるインテリジェントシーンリスト表示インターフェースの模式図を示し、インテリジェントシーン１中の係るインテリジェントデバイスがアンバンドリングされた後、表示されているインテリジェントシーンのリストから当該インテリジェントシーン１を削除する。
【００４２】
ステップ３０６では、デスクトップには、削除された当該インテリジェントシーンに対応するデスクトップショートカットが存在しているか否かを検出する。
【００４３】
インテリジェントシーンを確立するときに、ユーザが当該インテリジェントシーンを便利に実現するように、通常は電子デバイスのデスクトップにおいてデスクトップショートカットを生成するため、当該インテリジェントシーンを削除した後、当該電子デバイスのデスクトップには、削除された当該インテリジェントシーンに対応するデスクトップショートカットが存在しているか否かをさらにチェックしても良い。
【００４４】
ステップ３０７では、当該デスクトップには、削除された当該インテリジェントシーンに対応するデスクトップショートカットが存在していれば、当該デスクトップショートカットを削除する。
【００４５】
図３Ｄは、一実施例で提供されるデスクトップショートカットを削除する模式図を示す。図３Ｄにおいて、若し、インテリジェントシーン１が削除され、かつ、当該インテリジェントシーン１のデスクトップショートカットが存在していれば、当該インテリジェントシーン１のデスクトップショートカットをさらに削除する。
【００４６】
このように、本発明の実施例で提供されるインテリジェントシーン削除方法は、指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００４７】
ある実現シーンにおいては、若し、アンバンドリングされた指定インテリジェントデバイスが、ある目標インテリジェントシーンのトリガ条件を定義するのに用いられていれば、当該目標インテリジェントシーンにおいて定義された他のインテリジェントデバイスが対応動作を引き続き実行可能であることを確保するために、さらに、トリガ条件を定義するのに用いられている当該指定インテリジェントデバイスを他のインテリジェントデバイスと取り替え、取り替えたインテリジェントデバイスを用いて当該インテリジェントシーンに対してトリガ条件を新たに構成されても構成されても良い。図４Ａは、更なる実施例に示すインテリジェントシーン削除方法に係るフローチャートを示し、当該インテリジェントシーン削除方法は、図３におけるステップ３０４の後で、図４Ａにおけるステップ３０８乃至ステップ３１０を実行する。
【００４８】
ステップ３０８では、確立されたインテリジェントシーンには、当該指定インテリジェントデバイスを用いて設けられた目標インテリジェントシーンが存在していれば、当該指定インテリジェントデバイスが当該目標インテリジェントシーンのトリガ条件を定義するのに用いられているか否かを検出する。
【００４９】
好ましくは、インテリジェントシーンの確立に成功した後、インテリジェントデバイス識別子及び当該インテリジェントシーンを設ける時におけるインテリジェントデバイス識別子を記憶する際に、さらに、当該インテリジェントシーンのトリガ条件を設けるのに用いられているインテリジェントデバイスの特定識別子を記憶してもよく、例えば、当該インテリジェントデバイスの識別子箇所にトリガマークなどを追加しても良い。
【００５０】
例えば、記憶された１組のインテリジェントシーンの識別子及び当該インテリジェントシーンに係るインテリジェントデバイスの識別子の間の対応関係は（インテリジェントシーン１、インテリジェントデバイス１（トリガ）、インテリジェントデバイス２（実行））であり、そのうち、インテリジェントデバイス１がインテリジェントシーン１のトリガ条件を定義するためのインテリジェントデバイスであり、インテリジェントデバイス２がインテリジェントシーン１の実行動作を定義するためのインテリジェントデバイスである。
【００５１】
実際の応用では、さらに、他のトリガマーク、例えば数「１」を用いてトリガマークを表してもよく、トリガマークの具体的な表示形態は、本発明の保護範囲を限定するものではない。
【００５２】
これによって、電子デバイスは、当該指定インテリジェントデバイスが当該目標インテリジェントシーンのトリガ条件を定義するのに用いられているか否かを検査する際、当該指定インテリジェントデバイスの識別子がトリガマークをさらに含んでいるか否かを検出してもよく、若し、当該指定インテリジェントデバイスの識別子がトリガマークをさらに含んでいれば、当該指定インテリジェントデバイスが当該目標インテリジェントシーンのトリガ条件を定義するのに用いられていることを意味する。
【００５３】
ステップ３０９では、当該指定インテリジェントデバイスが当該目標インテリジェントシーンのトリガ条件を定義するのに用いられていれば、当該目標インテリジェントシーンにおけるトリガ条件を取り替えるか否かを指示待ちする。
【００５４】
当該指定インテリジェントデバイスが当該目標インテリジェントシーンのトリガ条件を定義するのに用いられていれば、当該目標インテリジェントシーンの実行動作を定義するのに用いられているインテリジェントデバイスを引き続き利用しても良いことを意味しており、このとき、当該目標インテリジェントシーンにおけるトリガ条件を取り替える旨をユーザにプロンプトしても良い。
【００５５】
ステップ３１０では、取替指令を受信した場合、当該取替指令の指示したインテリジェントデバイスを用いて当該目標インテリジェントデバイスのトリガ条件を取り替える。
【００５６】
例を挙げると、図４Ｂは、一実施例で提供されるインテリジェントデバイスにおけるトリガ条件を取り替える模式図を示す。スマートスイッチを自動的にオンするインテリジェントシーン１としては、インテリジェントリモコンがトリガされると、スマートソケットデバイスをオンする。その中、インテリジェントリモコンは、当該インテリジェントシーン１のトリガ条件を定義するのに用いられているインテリジェントデバイスであり、スマートソケットは、当該インテリジェントシーン１の実行動作を定義するのに用いられているインテリジェントデバイスである。若し、当該インテリジェントリモコンがアンバンドリングに成功すれば、当該インテリジェントシーン１におけるトリガ条件を取り替えるか否かを指示待ちすることができる。例えば、インテリジェントリモコンをスマートブレスレットと取り替え、かつ、当該スマートブレスレットを用いて当該インテリジェントシーン１に対してトリガ条件を構成されてもよく、例を挙げると、トリガ条件としては、スマートブレスレットは誰かが入っていると検出された、ように設けられても良い。これによって、当該スマートスイッチを自動的にオンするインテリジェントシーン１は、スマートブレスレットは誰かが入っていると検出されたとき、当該スマートソケットデバイスをオンするように変更された。
【００５７】
好ましくは、少なくとも２つのインテリジェントデバイスを用いて当該目標インテリジェントシーンのトリガ条件を設ける際に、アンバンドリングされた当該指定インテリジェントデバイスを取り替え、トリガ条件を設けるのに用いられている他のインテリジェントデバイスをそのままで良く、取り替えたインテリジェントデバイスのみを用いて当該目標インテリジェントシーンのトリガ条件を構成されても良い。
【００５８】
このように、本発明の実施例で提供されるインテリジェントシーン削除方法は、ある指定インテリジェントデバイスのアンバンドリングに成功した後、当該指定インテリジェントデバイスがある目標インテリジェントシーンのトリガ条件を定義するのに用いられているインテリジェントデバイスであるか否かを検出し、若し、当該指定インテリジェントデバイスがある目標インテリジェントシーンのトリガ条件を定義するのに用いられているインテリジェントデバイスであれば、他のインテリジェントデバイスを用いて当該目標インテリジェントシーンに対してトリガ条件を新たに設ける旨をユーザにプロンプトしてもよく、これによって、当該目標インテリジェントシーンに本来設けられた、対応動作を実行するためのインテリジェントデバイスが依然として利用可能であることを保証できる。したがって、目標インテリジェントシーンに設けられた第２のインテリジェントデバイスを引き続き用いて対応動作を実行する必要があるとき、インテリジェントシーンの設定フローを簡素化することができる。
【００５９】
後述は本発明の装置実施例であり、本発明の方法実施例を実行するのに用いることができる。本発明の装置実施例に開示されていない詳細については、本発明の方法実施例を参照されたい。
【００６０】
図５は一実施例に示すインテリジェントシーン削除装置に係るブロック図である。図５に示すように、当該インテリジェントシーン削除装置は、図１に示す実施環境における１つのインテリジェントデバイス１２０に用いられてもよく、当該インテリジェントシーン削除装置は、さらに、図１に示す実施環境におけるローカルエリアネットワークに位置しない１つのインテリジェントデバイスに用いられてもよく、ここで言うインテリジェントデバイスは、操作画面を有するデバイス、例えば携帯電話、コンピュータなどであっても良い。当該インテリジェントシーン削除装置は、第１の受信モジュール５０２と第１の検出モジュール５０４と第１の削除モジュール５０６とを備えるが、これらに限定されない。
【００６１】
第１の受信モジュール５０２は、指定インテリジェントデバイスがアンバンドリングに成功した旨を指示するためのアンバンドリング通知メッセージを受信するように構成される。
【００６２】
第１の検出モジュール５０４は、確立されたインテリジェントシーンには、当該指定インテリジェントデバイスを用いて設けられた目標インテリジェントシーンが存在しているか否かを検出するように構成される。
【００６３】
第１の削除モジュール５０６は、確立されたインテリジェントシーンには、当該指定インテリジェントデバイスを用いて設けられた目標インテリジェントシーンが存在していると第１の検出モジュール５０４により検出されれば、当該目標インテリジェントシーンを削除するように構成される。
【００６４】
このように、本発明の実施例で提供されるインテリジェントシーン削除装置は、指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００６５】
図６は別の実施例に示すインテリジェントシーン削除装置に係るブロック図である。図６に示すように、当該インテリジェントシーン削除装置は、図１に示す実施環境における１つのインテリジェントデバイス１２０に用いられてもよく、当該インテリジェントシーン削除装置は、さらに、図１に示す実施環境におけるローカルエリアネットワークに位置しない１つのインテリジェントデバイスに用いられてもよく、ここで言うインテリジェントデバイスは、操作画面を有するデバイス、例えば携帯電話、コンピュータなどであっても良い。当該インテリジェントシーン削除装置は、第１の受信モジュール６０２と第１の検出モジュール６０４と第１の削除モジュール６０６とを備えるが、これらに限定されない。
【００６６】
第１の受信モジュール６０２は、指定インテリジェントデバイスがアンバンドリングに成功した旨を指示するためのアンバンドリング通知メッセージを受信するように構成される。
【００６７】
第１の検出モジュール６０４は、確立されたインテリジェントシーンには、当該指定インテリジェントデバイスを用いて設けられた目標インテリジェントシーンが存在しているか否かを検出するように構成される。
【００６８】
第１の削除モジュール６０６は、確立されたインテリジェントシーンには、当該指定インテリジェントデバイスを用いて設けられた目標インテリジェントシーンが存在していると第１の検出モジュール６０４により検出されれば、当該目標インテリジェントシーンを削除するように構成される。
【００６９】
ある可能な実現形態においては、当該インテリジェントシーン削除装置は、さらに、第２の検出モジュール６０８と第２の削除モジュール６１０とを備えても良い。
【００７０】
第２の検出モジュール６０８は、デスクトップには、削除された当該インテリジェントシーンに対応するデスクトップショートカットが存在しているか否かを検出するように構成される。
【００７１】
第２の削除モジュール６１０は、当該デスクトップには、削除された当該インテリジェントシーンに対応する当該デスクトップショートカットが存在していると第２の検出モジュール６０８により検出されれば、当該デスクトップショートカットを削除するように構成される。
【００７２】
ある可能な実現形態においては、当該インテリジェントシーン削除装置は、さらに、第２の受信モジュール６１２と送信モジュール６１４とを備えても良い。
【００７３】
第２の受信モジュール６１２は、当該指定インテリジェントデバイスとユーザーアカウント間のバインディング関係を解除するためのアンバンドリング指令を受信するように構成される。
【００７４】
送信モジュール６１４は、当該指定インテリジェントデバイスと当該ユーザーアカウントとのバインディング関係の解除を要求するためのアンバンドリング要求を当該アンバンドリングデバイスへ送信するように配置され、当該アンバンドリング要求は、当該ユーザーアカウントの各バインディング関係から当該指定インテリジェントデバイスに対応するバインディング関係を削除するようにアンバンドリングデバイスをトリガし、削除が成功した後で当該アンバンドリング通知メッセージがフィードバックされる。
【００７５】
ある可能な実現形態においては、第１の検出モジュール６０４は、さらに、インテリジェントシーン識別子とインテリジェントデバイス識別子との対応関係から、当該指定インテリジェントデバイスの識別子を有する対応関係があるか否かを検索するように配置され、当該インテリジェントシーン識別子とインテリジェントデバイス識別子との対応関係は、当該インテリジェントシーンの確立に成功した後で記憶された当該インテリジェントシーンの識別子と当該インテリジェントシーンを確立する時に係るインテリジェントデバイスの識別子との対応関係である。
【００７６】
ある可能な実現形態においては、当該インテリジェントシーン削除装置は、さらに、第３の検出モジュール６１６とプロンプトモジュール６１８と取替モジュール６２０とを備えても良い。
【００７７】
第３の検出モジュール６１６は、確立されたインテリジェントシーンには、当該指定インテリジェントデバイスを用いて設けられた目標インテリジェントシーンが存在していれば、当該指定インテリジェントデバイスが当該目標インテリジェントシーンのトリガ条件を定義するのに用いられているか否かを検出するように構成される。
【００７８】
プロンプトモジュール６１８は、当該指定インテリジェントデバイスが当該目標インテリジェントシーンのトリガ条件を定義するのに用いられていると当該第３の検出モジュール６１６により検出されれば、当該目標インテリジェントシーンにおけるトリガ条件を取り替えるか否かを指示待ちするように構成される。
【００７９】
取替モジュール６２０は、取替指令を受信した場合、当該取替指令が指示したインテリジェントデバイスを用いて当該目標インテリジェントデバイスのトリガ条件を取り替えるように構成される。
【００８０】
このように、本発明の実施例で提供されるインテリジェントシーン削除装置は、ある指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００８１】
ある指定インテリジェントデバイスのアンバンドリングに成功した後、当該指定インテリジェントデバイスがある目標インテリジェントシーンのトリガ条件を定義するのに用いられているインテリジェントデバイスであるか否かを検出し、当該指定インテリジェントデバイスがある目標インテリジェントシーンのトリガ条件を定義するのに用いられているインテリジェントデバイスであれば、他のインテリジェントデバイスを用いて当該目標インテリジェントシーンに対してトリガ条件を新たに設ける旨をユーザにプロンプトしてもよく、これによって、当該目標インテリジェントシーンに本来設けられた、対応動作を実行するためのインテリジェントデバイスが依然として利用可能であることを保証できる。したがって、目標インテリジェントシーンに設けられた第２のインテリジェントデバイスを引き続き用いて対応動作を実行する必要があるとき、インテリジェントシーンの設定フローを簡素化することができる。
【００８２】
前記実施例における装置中の各モジュールが操作を実行する具体的な形態は、既に当該方法に関する実施例において詳しく記述されており、ここでは、詳細な説明を行わない。
【００８３】
本発明の一実施例は、本発明で提供されるシーン削除方法を実現し得るインテリジェントシーン削除装置を提供しており、当該インテリジェントシーン削除装置は、プロセッサと、プロセッサの実行可能な指令を記憶するためのメモリとを備え、前記プロセッサは、指定インテリジェントデバイスがアンバンドリングに成功した旨を指示するためのアンバンドリング通知メッセージを受信し、確立されたインテリジェントシーンには、当該指定インテリジェントデバイスを用いて設けられた目標インテリジェントシーンが存在しているか否かを検出し、確立されたインテリジェントシーンには、当該指定インテリジェントデバイスを用いて設けられた目標インテリジェントシーンが存在していれば、当該目標インテリジェントシーンを削除するように構成される。
【００８４】
図７は、一実施例によるインテリジェントシーンを削除するための装置を示すブロック図である。例如、当該調整装置７００は、携帯電話、コンピュータ、デジタル放送端末、メッセージ送受信機器、ゲームコンソール、タブレットデバイス、医療設備、フィットネス機器、PDAなどであってもよい。
【００８５】
図７を参照すると、装置７００は、以下の１つ又は複数のユニット、すなわち、処理ユニット７０２、メモリ７０４、電源ユニット７０６、マルチメディアユニット７０８、オーディオユニット７１０、入力・出力（I/O）インターフェース７１２、センサユニット７１４及び通信ユニット７１６を備えてもよい。
【００８６】
処理ユニット７０２は通常、装置７００の全般操作、例えば、表示、電話の発呼、データ通信、カメラ操作及び記録操作に関連する操作を制御する。処理ユニット７０２は、前記方法のステップの全部又は一部を実行するように、指令を実行する１つ又は複数のプロセッサ７２０を備えてもよい。また、処理ユニット７０２は、処理ユニット７０２と他のユニットとの間の相互作用を容易にするように、１つ又は複数のモジュールを備えてもよい。例えば、処理ユニット７０２は、マルチメディアユニット７０８と処理ユニット７０２との間の相互作用を容易にするように、マルチメディアモジュールを備えてもよい。
【００８７】
メモリ７０４は、装置７００での操作をサポートするために、各種別のデータを記憶するように構成される。これらデータの例示は、操作７００で操作する如何なるアプリケーションプログラムまたは方法の指令、連絡人データ、電話帳データ、メッセージ、ピクチャ、映像などを含む。メモリ７０４は、如何なる種別の揮発性または不揮発性記憶デバイスまたはそれらの組合せ、例えば、スタティックランダムアクセスメモリ（SRAM）、電気的に消去可能なプログラマブル読み出し専用メモリ（EEPROM）、消去可能なプログラマブル読み出し専用メモリ（EPROM）、プログラマブル読み出し専用メモリ（PROM）、読み出し専用メモリ（ROM）、磁気メモリ、フラッシュメモリ、磁気ディスクまたは光ディスクによって実現されてもよい。
【００８８】
電源ユニット７０６は、装置７００の各種のユニットに対して電力を供給する。電源ユニット７０６は、電源管理システム、１つまたは複数の電源、及び装置７００に対して電力を生成、管理及び割り当てることに関連する他のユニットを含んでも良い。
【００８９】
マルチメディアユニット７０８は、前記装置７００とユーザとの間に1つの出力インターフェースを供給するスクリーンを備える。一部の実施例では、スクリーンは、液晶ディスプレイ（LCD）およびタッチパネル（TP）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット７０８は、１つのフロントカメラおよび/またはバックカメラを含む。装置７００が操作モード、例えば、撮像モードまたは映像モードにあるとき、フロントカメラおよび/またはバックカメラは、外部のマルチメディアデータを受信することができる。フロントカメラおよびバックカメラのそれぞれは、１つの固定の光学レンズシステムであっても良く、または、焦点距離または光学ズーム能力を有しても良い。
【００９０】
オーディオユニット７１０は、オーディオ信号を出力および/または入力するように構成される。例えば、オーディオユニット７１０は、１つのマイク（MIC）を備え、装置７００が操作モード、例えば、発呼モード、記録モードおよび音声識別モードにあるとき、マイクは、外部オーディオ信号を受信するように構成される。受信されたオーディオ信号は、さらに、メモリ７０４に記憶され、または、通信ユニット７１６によって送信されてもよい。一部の実施例では、オーディオユニット７１０は、さらに、オーディオ信号を出力するための１つのスピーカをさらに含む。
【００９１】
I/Oインターフェース７１２は、処理ユニット７０２とペリフェラルインターフェースモジュールとの間でインターフェースを供給するものであり、前記ペリフェラルインターフェースモジュールは、キーボード、クリックホイール、ボタンなどであってもよい。これらボタンは、ホームページボタン、ボリュームボタン、起動ボタンおよびロックボタンを含んでも良いが、それらに限らない。
【００９２】
センサユニット７１４は、装置７００に対して各態様の状態評価を供給するための１つ又は複数のセンサを含む。例えば、センサユニット７１４は、装置７００のオン/オフ状態、ユニットの相対的な位置決め、例えば、前記ユニットが装置７００のディスプレイおよびテンキーであることを検出することができ、センサユニット７１４は、さらに、装置７００または装置７００の１つのユニットの位置変化、ユーザと装置７００とのタッチが存在するか否か、装置７００の方位または加速/減速および装置７００の温度変化をさらに検出することができる。センサユニット７１４は、如何なる物理タッチがないとき、近傍物体の存在を検出するように構成される接近センサを含んでも良い。センサユニット７１４は、さらに、イメージングアプリケーションに使用されるための光センサ、例えばCMOSまたはCCD画像センサを含んでも良い。一部の実施例では、当該センサユニット７１４は、さらに、加速度センサ、ジャイロセンサ、磁気センサ、圧力センサまたは温度センサを含んでも良い。
【００９３】
通信ユニット７１６は、装置７００と他の機器との間の無線または有線方式の通信が便利になるように構成される。装置７００は、通信規格に基づく無線ネットワーク、例えば、WiFi、２Ｇまたは３Ｇ、またはそれらの組合せにアクセスすることができる。１つの実施例では、通信ユニット７１６は、ブロードキャストチャネルを介して外部ブロードキャスト管理システムからのブロードキャスト信号またはブロードキャスト相関情報を受信する。１つの実施例では、前記通信ユニット７１６は、さらに、短距離通信を容易にするように、近距離通信（NFC）モジュールを含んでも良い。例えば、NFCモジュールでは、RF識別（RFID）技術、赤外データ協会（IrDA）技術、超広帯域（UWB）技術、ブルートゥース（登録商標）（BT）技術および他の技術によって実現されてもよい。
【００９４】
実施例では、装置７００は、上記インテリジェントシーン削除方法を実行するための１つ又は複数のアプリケーション専用集積回路（ASIC）、デジタル信号プロセッサ（DSP）、デジタル信号処理デバイス（DSPD）、プログラマブルロジックデバイス（PLD）、フィールドプログラマブルゲートアレイ（FPGA）、コントローラ、マイクロコントローラ、マイクロプロセッサまたは他の電子部品によって実現されてもよい。
【００９５】
実施例では、指令を含む非一時コンピュータ読み取り可能な記憶媒体、例えば、指令を含むメモリ７０４をさらに提供しており、上記指令は、上記インテリジェントシーン削除方法を完成するために、装置７００のプロセッサ７２０によって実行されても良い。例えば、前記非一時コンピュータ読み取り可能な記憶媒体は、ROM、ランダムアクセスメモリ（RAM）、CD-ROM、磁気テープ、フロッピー（登録商標）ディスクおよび光データ記憶機器などであっても良い。
【００９６】
当業者は明細書を考慮し、ここに公開された発明を実践した後、本開示の他の実施案を容易に想到する。本願は、本開示の如何なる変形、用途または適合もカバーすることを意図する。これら変形、用途または適応の変化は、本開示の一般な仕組みに従い、かつ、本開示に開示されていない当分野における公知常識または慣用技術手段を含む。明細書及び実施例は単なる例示と見なされ、本開示の本当の範囲及び思想は添付の特許請求の範囲によって与えられる。
【００９７】
本開示が以上で記述されて図面に示された精確な構造に限定されるものでなく、その要旨を逸脱しない範囲で様々な補正や変更も可能であることは理解されるべきである。本開示の範囲は、添付する特許請求の範囲のみによって限定される。本発明は、出願番号がＣＮ２０１５１０１４８０７１.０、出願日が２０１５年３月３１日である中国特許出願を基に提出するものであり、当該中国特許出願の優先権を主張し、当該中国特許出願の全ての内容は、参照のため本発明に援用される。
【図１】
2017519316.tif 000003
【図２】
2017519316.tif 000004
【図３Ａ】
2017519316.tif 000005
【図３Ｂ】
2017519316.tif 000006
【図３Ｃ】
2017519316.tif 000007
【図３Ｄ】
2017519316.tif 000008
【図４Ａ】
2017519316.tif 000009
【図４Ｂ】
2017519316.tif 000010
【図５】
2017519316.tif 000011
【図６】
2017519316.tif 000012
【図７】
2017519316.tif 000013
【手続補正書】
【提出日】平成27年10月27日(2015.10.27)
【手続補正１】
【補正対象書類名】明細書
【補正対象項目名】全文
【補正方法】変更
【補正の内容】
【発明の詳細な説明】
【技術分野】
【０００１】
本発明は、インテリジェントホーム分野に関し、特に、インテリジェントシーン削除方法、装置、プログラム及び記録媒体に関する。
【背景技術】
【０００２】
インテリジェントホームでは、様々なインテリジェントシーンを有効に実現するために、複数のインテリジェントデバイスをバインディングし、バインディングされたインテリジェントデバイスを用いて異なるインテリジェントシーンを定義することができる。例えば、あるインテリジェントシーンを設ける際、バインディングに成功した第１のインテリジェントデバイスを用いて当該インテリジェントシーンのトリガ条件を設け、それから、バインディングに成功した第２のインテリジェントデバイスが対応動作を実行するように設けられることができる。
【０００３】
ユーザがあるインテリジェントデバイスをアンバンドリングした後、当該インテリジェントデバイスを用いて定義されたインテリジェントシーンをも削除する必要がある。これらインテリジェントシーンを削除する際、これらインテリジェントシーンのうちの１つを順に選択し、かつ、当該インテリジェントシーンを削除する削除コントロールをトリガし、デバイスは当該削除コントロールがトリガされたときに生成される削除指令に応じて、当該インテリジェントシーンを削除する。
【発明の概要】
【課題を解決するための手段】
【０００４】
本発明は、インテリジェントシーン削除方法、装置、プログラム及び記録媒体を提供する。上記技術案は下記の通りである。
【０００５】
本発明の実施例の第１の態様によれば、指定インテリジェントデバイスがアンバンドリングに成功した旨を指示するためのアンバンドリング通知メッセージを受信するステップと、確立されたインテリジェントシーンには、前記指定インテリジェントデバイスを用いて設けられた目標インテリジェントシーンが存在しているか否かを検出するステップと、確立されたインテリジェントシーンには、前記指定インテリジェントデバイスを用いて設けられた目標インテリジェントシーンが存在していれば、前記目標インテリジェントシーンを削除するステップと、を含むインテリジェントシーン削除方法を提供する。
【０００６】
本発明の実施例の第２の態様によれば、指定インテリジェントデバイスがアンバンドリングに成功した旨を指示するためのアンバンドリング通知メッセージを受信するように構成される第１の受信モジュールと、確立されたインテリジェントシーンには、前記指定インテリジェントデバイスを用いて設けられた目標インテリジェントシーンが存在しているか否かを検出するように構成される第１の検出モジュールと、確立されたインテリジェントシーンには、前記指定インテリジェントデバイスを用いて設けられた目標インテリジェントシーンが存在していると第１の検出モジュールにより検出されれば、前記目標インテリジェントシーンを削除するように構成される第１の削除モジュールと、を含むインテリジェントシーン削除装置を提供する。
【０００７】
本発明の実施例の第３の態様によれば、プロセッサと、前記プロセッサの実行可能な指令を記憶するためのメモリとを備える装置であって、前記プロセッサは、指定インテリジェントデバイスがアンバンドリングに成功した旨を指示するためのアンバンドリング通知メッセージを受信し、確立されたインテリジェントシーンには、前記指定インテリジェントデバイスを用いて設けられた目標インテリジェントシーンが存在しているか否かを検出し、確立されたインテリジェントシーンには、前記指定インテリジェントデバイスを用いて設けられた目標インテリジェントシーンが存在していれば、前記目標インテリジェントシーンを削除するように構成される、インテリジェントシーン削除装置を提供する。
【０００８】
本発明の実施例の第４の態様によれば、プロセッサに実行されることにより、本開示の実施例の第１の態様に記載のインテリジェントシーン削除方法を実現するプログラムを提供する。
【０００９】
本発明の実施例の第５の態様によれば、本開示の実施例の第４の態様に記載のプログラムが記録された記録媒体を提供する。
【発明の効果】
【００１０】
本発明の実施例で提供される技術案は、下記の格別な効果を含むことができる。指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００１１】
上述した一般な記述及び後続の詳細な記述は、単に例示の及び解釈であり、本発明を制限できるものでないと理解されるべきである。
【図面の簡単な説明】
【００１２】
ここでの図面は、明細書を構成する一部として見なされ、本開示に適した実施例を示し、かつ、明細書の文字記載とともに本開示の仕組みを解釈するために用いられる。
【図１】一部の実施例に示すインテリジェントシーン削除方法に係る実施環境の模式図である。
【図２】一実施例に示すインテリジェントシーン削除方法に係るフローチャートである。
【図３Ａ】別の実施例に示すインテリジェントシーン削除方法に係るフローチャートである。
【図３Ｂ】一実施例で提供されるスマートブレスレットのバンドリングを解除する模式図である。
【図３Ｃ】一実施例で提供される目標インテリジェントシーンを削除した後でのインテリジェントシーンリスト表示インターフェースの模式図である。
【図３Ｄ】一実施例で提供されるデスクトップショートカットを削除する模式図である。
【図４Ａ】更なる実施例に示すインテリジェントシーン削除方法に係るフローチャートである。
【図４Ｂ】一実施例で提供されるインテリジェントデバイスにおけるトリガ条件を取り替える模式図である。
【図５】一実施例に示すインテリジェントシーン削除装置に係るブロック図である。
【図６】別の実施例に示すインテリジェントシーン削除装置に係るブロック図である。
【図７】一実施例に示すインテリジェントシーンを削除するための装置に係るブロック図である。
【発明を実施するための形態】
【００１３】
次に、実施例を詳細に説明し、例示が図に示されている。以下の記述が図に係る場合、別途にて示さない限り、異なる図面における同じ数字は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置及び方法の例に過ぎない。
【００１４】
図１は、一部の実施例に示すインテリジェントシーン削除方法に係る実施環境の模式図である。図１に示すように、当該実施環境は、バインディングされた少なくとも１つのインテリジェントデバイス１２０とアンバンドリングデバイス１４０を含んでも良い。
【００１５】
インテリジェントデバイス１２０は、スマートフォン、スマートテレビ、スマートソケット、インテリジェントウォーターディスペンサー、インテリジェント体重計、ウェアラブルデバイス、電子ブックリーダー、マルチメディアプレーヤー、ラップトップ型携帯可能なコンピュータ及びデスクトップコンピューターなどであっても良い。そのうちのウェアラブルデバイスは、スマートブレスレット、インテリジェントキーチェーン、スマートウォッチ、インテリジェントタイクリップ、スマートリングといったユーザに着用可能なデバイスであっても良い。各インテリジェントデバイス１２０は通常、同一ローカルエリアネットワーク内に位置する。
【００１６】
アンバンドリングデバイス１４０は、一台のネットワーク側デバイス、例えば、ルータまたはサーバなどであってもよく、または、複数台のネットワーク側デバイスからなるネットワーク側デバイスクラスタであってもよく、または、１つのクラウド算出サービスセンターであっても良い。
【００１７】
図２は、一実施例に示すインテリジェントシーン削除方法に係るフローチャートである。図２に示すように、当該インテリジェントシーン削除方法は、図１に示す実施環境における１つのインテリジェントデバイス１２０に用いられてもよく、当該インテリジェントシーン削除方法は、さらに、図１に示す実施環境におけるローカルエリアネットワークに位置しない１つのインテリジェントデバイスに用いられてもよく、ここで言うインテリジェントデバイスは、操作画面を有するデバイス、例えば携帯電話、コンピュータなどであっても良い。当該インテリジェント削除方法は以下のステップを含む。
【００１８】
ステップ２０１では、指定インテリジェントデバイスがアンバンドリングに成功した旨を指示するためのアンバンドリング通知メッセージを受信する。
【００１９】
インテリジェントホームにおいて、ユーザは、自宅のローカルエリアネットワーク内に位置する各種のインテリジェントデバイスを自分のユーザーアカウントとバインディングしてもよく、既にユーザーアカウントとバインディングされたインテリジェントデバイスをアンバンドリングしてもよく、すなわち、当該インテリジェントデバイスと当該ユーザーアカウントとのバインディング関係を解除する。
【００２０】
ステップ２０２では、確立されたインテリジェントシーンには、当該指定インテリジェントデバイスを用いて設けられた目標インテリジェントシーンが存在しているか否かを検出する。
【００２１】
例を挙げると、インテリジェントシーンを設ける際に、若し、第１のインテリジェントデバイスを用いてトリガ条件を設け、第２のインテリジェントデバイスを用いて対応する実行動作を設ければ、当該インテリジェントシーンとしては、設定された第１のインテリジェントデバイスがトリガ条件を満たすとき、設定された第２のインテリジェントデバイスが設定された対応動作を実行するように実現する。
【００２２】
好ましくは、トリガ条件を設ける際に、１つまたは１つ以上の第１のインテリジェントデバイスによって構成されても良い。好ましくは、動作を実行する第２のインテリジェントデバイスを設ける際に、１つまたは１つ以上の第２のインテリジェントデバイスがそれぞれ同じまたは異なる動作を実行するように構成されても良い。
【００２３】
ステップ２０３では、確立されたインテリジェントシーンには、当該指定インテリジェントデバイスを用いて設けられた目標インテリジェントシーンが存在していれば、当該目標インテリジェントシーンを削除する。
【００２４】
このように、本発明の実施例で提供されるインテリジェントシーン削除方法は、指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００２５】
図３Ａは、別の実施例に示すインテリジェントシーン削除方法に係るフローチャートである。図３Ａに示すように、当該インテリジェントシーン削除方法は、図１に示す実施環境における１つのインテリジェントデバイス１２０に用いられてもよく、当該インテリジェントシーン削除方法は、さらに、図１に示す実施環境におけるローカルエリアネットワークに位置しない１つのインテリジェントデバイスに用いられてもよい。ここで、インテリジェントデバイスは、操作画面を有するデバイス、例えば携帯電話、コンピュータなどであっても良い。当該インテリジェント削除方法は以下のステップを含む。
【００２６】
ステップ３０１では、当該指定インテリジェントデバイスとユーザーアカウント間のバインディング関係を解除するためのアンバンドリング指令を受信する。
【００２７】
インテリジェントホームにおいて、ユーザは、自家のローカルエリアネットワーク内に位置する各種のインテリジェントデバイスを自分のユーザーアカウントとバインディングしてもよく、既にユーザーアカウントとバインディングされたインテリジェントデバイスをアンバンドリングしてもよく、すなわち、当該インテリジェントデバイスと当該ユーザーアカウントとのバインディング関係を解除する。
【００２８】
一般的には、バインディング工程において、ユーザが所持する電子デバイス（例えば携帯電話またはタブレットコンピュータなど）は、バインディングする必要があるインテリジェントデバイスの識別子と電子デバイスに登録されたユーザーアカウントをバインディングデバイスに送信してもよく、バインディングデバイスは、当該インテリジェントデバイスの識別子と当該ユーザーアカウントのバインディング関係を記憶し、当該ユーザーアカウントへの当該インテリジェントデバイスのバインディングが完成される。
【００２９】
明らかに、ユーザは、さらに、インテリジェントデバイスとユーザーアカウントとのバインディング関係を解除しても良い。例えば、ユーザは、当該ユーザーアカウントが登録された電子デバイスにおいて、当該ユーザーアカウントが既にバインディングに成功した１つまたは複数のインテリジェントデバイスを見て、そのうち１つの指定されたインテリジェントデバイスと当該ユーザーアカウントとのバインディング関係を選択して解除してもよく、対応的に、電子デバイスは、ユーザが当該指定インテリジェントデバイスとユーザーアカウント間のバインディング関係を解除するアンバンドリング指令を受信することができる。
【００３０】
図３Ｂは、一実施例で提供されるスマートブレスレットのバンドリングを解除する模式図を示し、ユーザが「接続を解除」ウィジェットをクリックした後、電子デバイスは、当該スマートブレスレットとユーザーアカウントとのバインディング関係を解除するためのアンバンドリング指令を受信する。
【００３１】
ステップ３０２では、当該指定インテリジェントデバイスと当該ユーザーアカウントとのバインディング関係の解除を要求するためのアンバンドリング要求を当該アンバンドリングデバイスへ送信し、当該アンバンドリング要求は、当該ユーザーアカウントの各バインディング関係から当該指定インテリジェントデバイスに対応するバインディング関係を削除するようにアンバンドリングデバイスをトリガし、削除が成功した後でアンバンドリング通知メッセージがフィードバックされる。
【００３２】
当該指定インテリジェントデバイスと当該ユーザーアカウントとのアンバンドリングに成功することを可能にするために、アンバンドリングの関連情報をアンバンドリングデバイスに知らせる必要があり、このとき、アンバンドリング指令を受信した電子デバイスは、当該指定インテリジェントデバイスと当該ユーザーアカウントとのバインディング関係の解除を要求するためのアンバンドリング要求をアンバンドリングデバイスへ送信することができる。対応して、アンバンドリングデバイスは、当該アンバンドリング要求を受信した後、当該指定インテリジェントデバイスと当該ユーザーアカウントとのバインディング関係が存在しているか否かを検出することができ、アンバンドリングデバイスには、当該指定インテリジェントデバイスと当該ユーザーアカウントとのバインディング関係が存在していれば、アンバンドリングデバイスにおいて、記憶された当該指定インテリジェントデバイスと当該ユーザーアカウントとのバインディング関係を削除すると共に、削除が成功した後でアンバンドリング通知メッセージを当該電子デバイスへフィードバックする。
【００３３】
ステップ３０３では、指定インテリジェントデバイスがアンバンドリングに成功した旨を指示するためのアンバンドリング通知メッセージを受信する。
【００３４】
ステップ３０４では、確立されたインテリジェントシーンには、当該指定インテリジェントデバイスを用いて設けられた目標インテリジェントシーンが存在しているか否かを検出する。
【００３５】
電子デバイスがアンバンドリングデバイスから送信されたアンバンドリング通知メッセージを受信したことは、アンバンドリングデバイスが既に指定インテリジェントデバイスとユーザーアカウント間のバインディング関係のアンバンドリングに成功したことを意味しており、当該指定インテリジェントデバイスと当該ユーザーアカウントとがバインディングされていないため、当該指定インテリジェントデバイスを用いて設定されたインテリジェントシーンを削除する。このとき、電子デバイスは、確立されたインテリジェントシーンには、当該指定インテリジェントデバイスを用いて設けられた目標インテリジェントシーンが存在しているか否かを検出しても良い。
【００３６】
例を挙げると、ユーザのスマートブレスレットがなくなった場合、以前で家庭のローカルエリアネットワークにおいて当該スマートブレスレットを用いて設けられたインテリジェントシーンは通常は適用されなくなり、例えば、当該スマートブレスレットを用いてあるインテリジェントシーンのトリガ条件を設けており、スマートブレスレットがなくなったので、当該ローカルエリアネットワーク内には当該スマートブレスレットで定義されたトリガ条件が満たされておらず、よって、当該スマートブレスレットに係るインテリジェントシーンをキャンセルすることができる。
【００３７】
好ましくは、ステップ３０４の前に、当該指定インテリジェントデバイスに関するインテリジェントシーンを削除するか否かを指示待ちするためのプロンプト情報を表示するステップをさらに含んでも良い。ユーザが当該プロンプト情報を見た後、若し、当該プロンプト情報における削除コントロールをトリガすれば、電子デバイスは、当該指定インテリジェントデバイスに関するインテリジェントシーンの削除を指示するための削除指令を受信し、ステップ３０４を実行する。
【００３８】
電子デバイスが、確立されたインテリジェントシーンに、当該指定インテリジェントデバイスを用いて設けられた目標インテリジェントシーンが存在しているか否かを検出するステップは、インテリジェントシーン識別子とインテリジェントデバイス識別子との対応関係から、当該指定インテリジェントデバイスの識別子を有する対応関係があるか否かを検索するサブステップを含んでもよく、当該インテリジェントシーン識別子とインテリジェントデバイス識別子との対応関係は、当該インテリジェントシーンの確立に成功した後で記憶された当該インテリジェントシーンの識別子と当該インテリジェントシーンを確立する時に係るインテリジェントデバイスの識別子との対応関係である。
【００３９】
一般的には、インテリジェントシーンが確立された後で、インテリジェントシーンを確立する中に係るインテリジェントデバイスの識別子と当該インテリジェントシーンの識別子とを対応付けて記憶しても良い。
【００４０】
例を挙げると、インテリジェントシーンは、第１のインテリジェントデバイスを用いてトリガ条件を設け、第２のインテリジェントデバイスを用いて対応動作を実行するものであり、このとき、当該第１のインテリジェントデバイスの識別子、当該第２のインテリジェントデバイスの識別子と当該インテリジェントシーンの識別子との対応関係を記憶しても良い。
【００４１】
ステップ３０５では、確立されたインテリジェントシーンには、当該指定インテリジェントデバイスを用いて設けられた目標インテリジェントシーンが存在していれば、当該目標インテリジェントシーンを削除する。
【００４２】
指定インテリジェントデバイスがバインディングを解除されたことは、ユーザが当該インテリジェントデバイスを利用できなくなることを意味しており、このとき、確立されたインテリジェントシーンには、当該指定インテリジェントデバイスを用いて設けられた目標インテリジェントシーンが存在していれば、当該目標インテリジェントシーンを直接削除することができる。削除された目標インテリジェントシーンは表示または利用されなくなる。
【００４３】
当該目標インテリジェントシーンを削除した後、ユーザーアカウントのインテリジェントシーンのリストには、当該削除された目標インテリジェントシーンを引き続き表示しなくなる。図３Ｃは、一実施例で提供される目標インテリジェントシーンを削除した後におけるインテリジェントシーンリスト表示インターフェースの模式図を示し、インテリジェントシーン１中の係るインテリジェントデバイスがアンバンドリングされた後、表示されているインテリジェントシーンのリストから当該インテリジェントシーン１を削除する。
【００４４】
ステップ３０６では、デスクトップには、削除された当該インテリジェントシーンに対応するデスクトップショートカットが存在しているか否かを検出する。
【００４５】
インテリジェントシーンを確立するときに、ユーザが当該インテリジェントシーンを便利に実現するように、通常は電子デバイスのデスクトップにおいてデスクトップショートカットを生成するため、当該インテリジェントシーンを削除した後、当該電子デバイスのデスクトップには、削除された当該インテリジェントシーンに対応するデスクトップショートカットが存在しているか否かをさらにチェックしても良い。
【００４６】
ステップ３０７では、当該デスクトップには、削除された当該インテリジェントシーンに対応するデスクトップショートカットが存在していれば、当該デスクトップショートカットを削除する。
【００４７】
図３Ｄは、一実施例で提供されるデスクトップショートカットを削除する模式図を示す。図３Ｄにおいて、若し、インテリジェントシーン１が削除され、かつ、当該インテリジェントシーン１のデスクトップショートカットが存在していれば、当該インテリジェントシーン１のデスクトップショートカットをさらに削除する。
【００４８】
このように、本発明の実施例で提供されるインテリジェントシーン削除方法は、指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００４９】
ある実現シーンにおいては、若し、アンバンドリングされた指定インテリジェントデバイスが、ある目標インテリジェントシーンのトリガ条件を定義するのに用いられていれば、当該目標インテリジェントシーンにおいて定義された他のインテリジェントデバイスが対応動作を引き続き実行可能であることを確保するために、さらに、トリガ条件を定義するのに用いられている当該指定インテリジェントデバイスを他のインテリジェントデバイスと取り替え、取り替えたインテリジェントデバイスを用いて当該インテリジェントシーンに対してトリガ条件を新たに構成されても良い。図４Ａは、更なる実施例に示すインテリジェントシーン削除方法に係るフローチャートを示し、当該インテリジェントシーン削除方法は、図３におけるステップ３０４の後で、図４Ａにおけるステップ３０８乃至ステップ３１０を実行する。
【００５０】
ステップ３０８では、確立されたインテリジェントシーンには、当該指定インテリジェントデバイスを用いて設けられた目標インテリジェントシーンが存在していれば、当該指定インテリジェントデバイスが当該目標インテリジェントシーンのトリガ条件を定義するのに用いられているか否かを検出する。
【００５１】
好ましくは、インテリジェントシーンが確立に成功した後、インテリジェントデバイス識別子及び当該インテリジェントシーンを設ける時におけるインテリジェントデバイス識別子を記憶する際に、さらに、当該インテリジェントシーンのトリガ条件を設けるのに用いられているインテリジェントデバイスの特定識別子を記憶してもよく、例えば、当該インテリジェントデバイスの識別子箇所にトリガマークなどを追加しても良い。
【００５２】
例えば、記憶された１組のインテリジェントシーンの識別子及び当該インテリジェントシーンに係るインテリジェントデバイスの識別子の間の対応関係は（インテリジェントシーン１、インテリジェントデバイス１（トリガ）、インテリジェントデバイス２（実行））であり、そのうち、インテリジェントデバイス１がインテリジェントシーン１のトリガ条件を定義するためのインテリジェントデバイスであり、インテリジェントデバイス２がインテリジェントシーン１の実行動作を定義するためのインテリジェントデバイスである。
【００５３】
実際の応用では、さらに、他のトリガマーク、例えば数「１」を用いてトリガマークを表してもよく、トリガマークの具体的な表示形態は、本発明の保護範囲を限定するものではない。
【００５４】
これによって、電子デバイスは、当該指定インテリジェントデバイスが当該目標インテリジェントシーンのトリガ条件を定義するのに用いられているか否かを検査する際、当該指定インテリジェントデバイスの識別子がトリガマークをさらに含んでいるか否かを検出してもよく、若し、当該指定インテリジェントデバイスの識別子がトリガマークをさらに含んでいれば、当該指定インテリジェントデバイスが当該目標インテリジェントシーンのトリガ条件を定義するのに用いられていることを意味する。
【００５５】
ステップ３０９では、当該指定インテリジェントデバイスが当該目標インテリジェントシーンのトリガ条件を定義するのに用いられていれば、当該目標インテリジェントシーンにおけるトリガ条件を取り替えるか否かを指示待ちする。
【００５６】
当該指定インテリジェントデバイスが当該目標インテリジェントシーンのトリガ条件を定義するのに用いられていれば、当該目標インテリジェントシーンの実行動作を定義するのに用いられているインテリジェントデバイスを引き続き利用しても良いことを意味しており、このとき、当該目標インテリジェントシーンにおけるトリガ条件を取り替える旨をユーザにプロンプトしても良い。
【００５７】
ステップ３１０では、取替指令を受信した場合、当該取替指令の指示したインテリジェントデバイスを用いて当該目標インテリジェントデバイスのトリガ条件を取り替える。
【００５８】
例を挙げると、図４Ｂは、一実施例で提供されるインテリジェントデバイスにおけるトリガ条件を取り替える模式図を示す。スマートスイッチを自動的にオンするインテリジェントシーン１としては、インテリジェントリモコンがトリガされると、スマートソケットデバイスをオンする。その中、インテリジェントリモコンは、当該インテリジェントシーン１のトリガ条件を定義するのに用いられているインテリジェントデバイスであり、スマートソケットは、当該インテリジェントシーン１の実行動作を定義するのに用いられているインテリジェントデバイスである。若し、当該インテリジェントリモコンがアンバンドリングに成功すれば、当該インテリジェントシーン１におけるトリガ条件を取り替えるか否かを指示待ちすることができる。例えば、インテリジェントリモコンをスマートブレスレットと取り替え、かつ、当該スマートブレスレットを用いて当該インテリジェントシーン１に対してトリガ条件を構成されてもよく、例を挙げると、トリガ条件としては、スマートブレスレットは誰かが入っていると検出された、ように設けられても良い。これによって、当該スマートスイッチを自動的にオンするインテリジェントシーン１は、スマートブレスレットは誰かが入っていると検出されたとき、当該スマートソケットデバイスをオンするように変更された。
【００５９】
好ましくは、少なくとも２つのインテリジェントデバイスを用いて当該目標インテリジェントシーンのトリガ条件を設ける際に、アンバンドリングされた当該指定インテリジェントデバイスを取り替え、トリガ条件を設けるのに用いられている他のインテリジェントデバイスをそのままで良く、取り替えたインテリジェントデバイスのみを用いて当該目標インテリジェントシーンのトリガ条件を構成されても良い。
【００６０】
このように、本発明の実施例で提供されるインテリジェントシーン削除方法は、ある指定インテリジェントデバイスのアンバンドリングに成功した後、当該指定インテリジェントデバイスがある目標インテリジェントシーンのトリガ条件を定義するのに用いられているインテリジェントデバイスであるか否かを検出し、若し、当該指定インテリジェントデバイスがある目標インテリジェントシーンのトリガ条件を定義するのに用いられているインテリジェントデバイスであれば、他のインテリジェントデバイスを用いて当該目標インテリジェントシーンに対してトリガ条件を新たに設ける旨をユーザにプロンプトしてもよく、これによって、当該目標インテリジェントシーンに本来設けられた、対応動作を実行するためのインテリジェントデバイスが依然として利用可能であることを保証できる。したがって、目標インテリジェントシーンに設けられた第２のインテリジェントデバイスを引き続き用いて対応動作を実行する必要があるとき、インテリジェントシーンの設定フローを簡素化することができる。
【００６１】
後述は本発明の装置実施例であり、本発明の方法実施例を実行するのに用いることができる。本発明の装置実施例に開示されていない詳細については、本発明の方法実施例を参照されたい。
【００６２】
図５は一実施例に示すインテリジェントシーン削除装置に係るブロック図である。図５に示すように、当該インテリジェントシーン削除装置は、図１に示す実施環境における１つのインテリジェントデバイス１２０に用いられてもよく、当該インテリジェントシーン削除装置は、さらに、図１に示す実施環境におけるローカルエリアネットワークに位置しない１つのインテリジェントデバイスに用いられてもよく、ここで言うインテリジェントデバイスは、操作画面を有するデバイス、例えば携帯電話、コンピュータなどであっても良い。当該インテリジェントシーン削除装置は、第１の受信モジュール５０２と第１の検出モジュール５０４と第１の削除モジュール５０６とを備えるが、これらに限定されない。
【００６３】
第１の受信モジュール５０２は、指定インテリジェントデバイスがアンバンドリングに成功した旨を指示するためのアンバンドリング通知メッセージを受信するように構成される。
【００６４】
第１の検出モジュール５０４は、確立されたインテリジェントシーンには、当該指定インテリジェントデバイスを用いて設けられた目標インテリジェントシーンが存在しているか否かを検出するように構成される。
【００６５】
第１の削除モジュール５０６は、確立されたインテリジェントシーンには、当該指定インテリジェントデバイスを用いて設けられた目標インテリジェントシーンが存在していると第１の検出モジュール５０４により検出されれば、当該目標インテリジェントシーンを削除するように構成される。
【００６６】
このように、本発明の実施例で提供されるインテリジェントシーン削除装置は、指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００６７】
図６は別の実施例に示すインテリジェントシーン削除装置に係るブロック図である。図６に示すように、当該インテリジェントシーン削除装置は、図１に示す実施環境における１つのインテリジェントデバイス１２０に用いられてもよく、当該インテリジェントシーン削除装置は、さらに、図１に示す実施環境におけるローカルエリアネットワークに位置しない１つのインテリジェントデバイスに用いられてもよく、ここで言うインテリジェントデバイスは、操作画面を有するデバイス、例えば携帯電話、コンピュータなどであっても良い。当該インテリジェントシーン削除装置は、第１の受信モジュール６０２と第１の検出モジュール６０４と第１の削除モジュール６０６とを備えるが、これらに限定されない。
【００６８】
第１の受信モジュール６０２は、指定インテリジェントデバイスがアンバンドリングに成功した旨を指示するためのアンバンドリング通知メッセージを受信するように構成される。
【００６９】
第１の検出モジュール６０４は、確立されたインテリジェントシーンには、当該指定インテリジェントデバイスを用いて設けられた目標インテリジェントシーンが存在しているか否かを検出するように構成される。
【００７０】
第１の削除モジュール６０６は、確立されたインテリジェントシーンには、当該指定インテリジェントデバイスを用いて設けられた目標インテリジェントシーンが存在していると第１の検出モジュール６０４により検出されれば、当該目標インテリジェントシーンを削除するように構成される。
【００７１】
ある可能な実現形態においては、当該インテリジェントシーン削除装置は、さらに、第２の検出モジュール６０８と第２の削除モジュール６１０とを備えても良い。
【００７２】
第２の検出モジュール６０８は、デスクトップには、削除された当該インテリジェントシーンに対応するデスクトップショートカットが存在しているか否かを検出するように構成される。
【００７３】
第２の削除モジュール６１０は、当該デスクトップには、削除された当該インテリジェントシーンに対応する当該デスクトップショートカットが存在していると第２の検出モジュール６０８により検出されれば、当該デスクトップショートカットを削除するように構成される。
【００７４】
ある可能な実現形態においては、当該インテリジェントシーン削除装置は、さらに、第２の受信モジュール６１２と送信モジュール６１４とを備えても良い。
【００７５】
第２の受信モジュール６１２は、当該指定インテリジェントデバイスとユーザーアカウント間のバインディング関係を解除するためのアンバンドリング指令を受信するように構成される。
【００７６】
送信モジュール６１４は、当該指定インテリジェントデバイスと当該ユーザーアカウントとのバインディング関係の解除を要求するためのアンバンドリング要求を当該アンバンドリングデバイスへ送信するように構成され、当該アンバンドリング要求は、当該ユーザーアカウントの各バインディング関係から当該指定インテリジェントデバイスに対応するバインディング関係を削除するようにアンバンドリングデバイスをトリガし、削除が成功した後で当該アンバンドリング通知メッセージがフィードバックされる。
【００７７】
ある可能な実現形態においては、第１の検出モジュール６０４は、さらに、インテリジェントシーン識別子とインテリジェントデバイス識別子との対応関係から、当該指定インテリジェントデバイスの識別子を有する対応関係があるか否かを検索するように構成され、当該インテリジェントシーン識別子とインテリジェントデバイス識別子との対応関係は、当該インテリジェントシーンの確立に成功した後で記憶された当該インテリジェントシーンの識別子と当該インテリジェントシーンを確立する時に係るインテリジェントデバイスの識別子との対応関係である。
【００７８】
ある可能な実現形態においては、当該インテリジェントシーン削除装置は、さらに、第３の検出モジュール６１６とプロンプトモジュール６１８と取替モジュール６２０とを備えても良い。
【００７９】
第３の検出モジュール６１６は、確立されたインテリジェントシーンには、当該指定インテリジェントデバイスを用いて設けられた目標インテリジェントシーンが存在していれば、当該指定インテリジェントデバイスが当該目標インテリジェントシーンのトリガ条件を定義するのに用いられているか否かを検出するように構成される。
【００８０】
プロンプトモジュール６１８は、当該指定インテリジェントデバイスが当該目標インテリジェントシーンのトリガ条件を定義するのに用いられていると当該第３の検出モジュール６１６により検出されれば、当該目標インテリジェントシーンにおけるトリガ条件を取り替えるか否かを指示待ちするように構成される。
【００８１】
取替モジュール６２０は、取替指令を受信した場合、当該取替指令が指示したインテリジェントデバイスを用いて当該目標インテリジェントデバイスのトリガ条件を取り替えるように構成される。
【００８２】
このように、本発明の実施例で提供されるインテリジェントシーン削除装置は、ある指定インテリジェントデバイスのアンバンドリングに成功した後、当該インテリジェントデバイスを用いて設けられたインテリジェントシーンを削除することにより、当該インテリジェントデバイスを用いて設けられたインテリジェントシーンを直接削除することができるため、アンバンドリングされたインテリジェントデバイスを用いて定義されたインテリジェントシーンを手動で削除することによる、削除操作が複雑でわかりにくいという課題を解決し、正常に実行できないインテリジェントシーンを迅速に削除し、正常に実行できないインテリジェントシーンの削除時における削除操作を簡素化するという効果を奏する。
【００８３】
ある指定インテリジェントデバイスのアンバンドリングに成功した後、当該指定インテリジェントデバイスがある目標インテリジェントシーンのトリガ条件を定義するのに用いられているインテリジェントデバイスであるか否かを検出し、当該指定インテリジェントデバイスがある目標インテリジェントシーンのトリガ条件を定義するのに用いられているインテリジェントデバイスであれば、他のインテリジェントデバイスを用いて当該目標インテリジェントシーンに対してトリガ条件を新たに設ける旨をユーザにプロンプトしてもよく、これによって、当該目標インテリジェントシーンに本来設けられた、対応動作を実行するためのインテリジェントデバイスが依然として利用可能であることを保証できる。したがって、目標インテリジェントシーンに設けられた第２のインテリジェントデバイスを引き続き用いて対応動作を実行する必要があるとき、インテリジェントシーンの設定フローを簡素化することができる。
【００８４】
前記実施例における装置中の各モジュールが操作を実行する具体的な形態は、既に当該方法に関する実施例において詳しく記述されており、ここでは、詳細な説明を行わない。
【００８５】
本発明の一実施例は、本発明で提供されるシーン削除方法を実現し得るインテリジェントシーン削除装置を提供しており、当該インテリジェントシーン削除装置は、プロセッサと、プロセッサの実行可能な指令を記憶するためのメモリとを備え、前記プロセッサは、指定インテリジェントデバイスがアンバンドリングに成功した旨を指示するためのアンバンドリング通知メッセージを受信し、確立されたインテリジェントシーンには、当該指定インテリジェントデバイスを用いて設けられた目標インテリジェントシーンが存在しているか否かを検出し、確立されたインテリジェントシーンには、当該指定インテリジェントデバイスを用いて設けられた目標インテリジェントシーンが存在していれば、当該目標インテリジェントシーンを削除するように構成される。
【００８６】
図７は、一実施例によるインテリジェントシーンを削除するための装置を示すブロック図である。例如、当該調整装置７００は、携帯電話、コンピュータ、デジタル放送端末、メッセージ送受信機器、ゲームコンソール、タブレットデバイス、医療設備、フィットネス機器、PDAなどであってもよい。
【００８７】
図７を参照すると、装置７００は、以下の１つ又は複数のユニット、すなわち、処理ユニット７０２、メモリ７０４、電源ユニット７０６、マルチメディアユニット７０８、オーディオユニット７１０、入力・出力（I/O）インターフェース７１２、センサユニット７１４及び通信ユニット７１６を備えてもよい。
【００８８】
処理ユニット７０２は通常、装置７００の全般操作、例えば、表示、電話の発呼、データ通信、カメラ操作及び記録操作に関連する操作を制御する。処理ユニット７０２は、前記方法のステップの全部又は一部を実行するように、指令を実行する１つ又は複数のプロセッサ７２０を備えてもよい。また、処理ユニット７０２は、処理ユニット７０２と他のユニットとの間の相互作用を容易にするように、１つ又は複数のモジュールを備えてもよい。例えば、処理ユニット７０２は、マルチメディアユニット７０８と処理ユニット７０２との間の相互作用を容易にするように、マルチメディアモジュールを備えてもよい。
【００８９】
メモリ７０４は、装置７００での操作をサポートするために、各種別のデータを記憶するように構成される。これらデータの例示は、操作７００で操作する如何なるアプリケーションプログラムまたは方法の指令、連絡人データ、電話帳データ、メッセージ、ピクチャ、映像などを含む。メモリ７０４は、如何なる種別の揮発性または不揮発性記憶デバイスまたはそれらの組合せ、例えば、スタティックランダムアクセスメモリ（SRAM）、電気的に消去可能なプログラマブル読み出し専用メモリ（EEPROM）、消去可能なプログラマブル読み出し専用メモリ（EPROM）、プログラマブル読み出し専用メモリ（PROM）、読み出し専用メモリ（ROM）、磁気メモリ、フラッシュメモリ、磁気ディスクまたは光ディスクによって実現されてもよい。
【００９０】
電源ユニット７０６は、装置７００の各種のユニットに対して電力を供給する。電源ユニット７０６は、電源管理システム、１つまたは複数の電源、及び装置７００に対して電力を生成、管理及び割り当てることに関連する他のユニットを含んでも良い。
【００９１】
マルチメディアユニット７０８は、前記装置７００とユーザとの間に1つの出力インターフェースを供給するスクリーンを備える。一部の実施例では、スクリーンは、液晶ディスプレイ（LCD）およびタッチパネル（TP）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット７０８は、１つのフロントカメラおよび/またはバックカメラを含む。装置７００が操作モード、例えば、撮像モードまたは映像モードにあるとき、フロントカメラおよび/またはバックカメラは、外部のマルチメディアデータを受信することができる。フロントカメラおよびバックカメラのそれぞれは、１つの固定の光学レンズシステムであっても良く、または、焦点距離または光学ズーム能力を有しても良い。
【００９２】
オーディオユニット７１０は、オーディオ信号を出力および/または入力するように構成される。例えば、オーディオユニット７１０は、１つのマイク（MIC）を備え、装置７００が操作モード、例えば、発呼モード、記録モードおよび音声識別モードにあるとき、マイクは、外部オーディオ信号を受信するように構成される。受信されたオーディオ信号は、さらに、メモリ７０４に記憶され、または、通信ユニット７１６によって送信されてもよい。一部の実施例では、オーディオユニット７１０は、さらに、オーディオ信号を出力するための１つのスピーカをさらに含む。
【００９３】
I/Oインターフェース７１２は、処理ユニット７０２とペリフェラルインターフェースモジュールとの間でインターフェースを供給するものであり、前記ペリフェラルインターフェースモジュールは、キーボード、クリックホイール、ボタンなどであってもよい。これらボタンは、ホームページボタン、ボリュームボタン、起動ボタンおよびロックボタンを含んでも良いが、それらに限らない。
【００９４】
センサユニット７１４は、装置７００に対して各態様の状態評価を供給するための１つ又は複数のセンサを含む。例えば、センサユニット７１４は、装置７００のオン/オフ状態、ユニットの相対的な位置決め、例えば、前記ユニットが装置７００のディスプレイおよびテンキーであることを検出することができ、センサユニット７１４は、さらに、装置７００または装置７００の１つのユニットの位置変化、ユーザと装置７００とのタッチが存在するか否か、装置７００の方位または加速/減速および装置７００の温度変化をさらに検出することができる。センサユニット７１４は、如何なる物理タッチがないとき、近傍物体の存在を検出するように構成される接近センサを含んでも良い。センサユニット７１４は、さらに、イメージングアプリケーションに使用されるための光センサ、例えばCMOSまたはCCD画像センサを含んでも良い。一部の実施例では、当該センサユニット７１４は、さらに、加速度センサ、ジャイロセンサ、磁気センサ、圧力センサまたは温度センサを含んでも良い。
【００９５】
通信ユニット７１６は、装置７００と他の機器との間の無線または有線方式の通信が便利になるように構成される。装置７００は、通信規格に基づく無線ネットワーク、例えば、WiFi、２Ｇまたは３Ｇ、またはそれらの組合せにアクセスすることができる。１つの実施例では、通信ユニット７１６は、ブロードキャストチャネルを介して外部ブロードキャスト管理システムからのブロードキャスト信号またはブロードキャスト相関情報を受信する。１つの実施例では、前記通信ユニット７１６は、さらに、短距離通信を容易にするように、近距離通信（NFC）モジュールを含んでも良い。例えば、NFCモジュールでは、RF識別（RFID）技術、赤外データ協会（IrDA）技術、超広帯域（UWB）技術、ブルートゥース（登録商標）（BT）技術および他の技術によって実現されてもよい。
【００９６】
実施例では、装置７００は、上記インテリジェントシーン削除方法を実行するための１つ又は複数のアプリケーション専用集積回路（ASIC）、デジタル信号プロセッサ（DSP）、デジタル信号処理デバイス（DSPD）、プログラマブルロジックデバイス（PLD）、フィールドプログラマブルゲートアレイ（FPGA）、コントローラ、マイクロコントローラ、マイクロプロセッサまたは他の電子部品によって実現されてもよい。
【００９７】
実施例では、指令を含む非一時コンピュータ読み取り可能な記憶媒体、例えば、指令を含むメモリ７０４をさらに提供しており、上記指令は、上記インテリジェントシーン削除方法を完成するために、装置７００のプロセッサ７２０によって実行されても良い。例えば、前記非一時コンピュータ読み取り可能な記憶媒体は、ROM、ランダムアクセスメモリ（RAM）、CD-ROM、磁気テープ、フロッピー（登録商標）ディスクおよび光データ記憶機器などであっても良い。
【００９８】
当業者は明細書を考慮し、ここに公開された発明を実践した後、本開示の他の実施案を容易に想到する。本願は、本開示の如何なる変形、用途または適合もカバーすることを意図する。これら変形、用途または適応の変化は、本開示の一般な仕組みに従い、かつ、本開示に開示されていない当分野における公知常識または慣用技術手段を含む。明細書及び実施例は単なる例示と見なされ、本開示の本当の範囲及び思想は添付の特許請求の範囲によって与えられる。
【００９９】
本開示が以上で記述されて図面に示された精確な構造に限定されるものでなく、その要旨を逸脱しない範囲で様々な補正や変更も可能であることは理解されるべきである。本開示の範囲は、添付する特許請求の範囲のみによって限定される。本発明は、出願番号がＣＮ２０１５１０１４８０７１.０、出願日が２０１５年３月３１日である中国特許出願を基に提出するものであり、当該中国特許出願の優先権を主張し、当該中国特許出願の全ての内容は、参照のため本発明に援用される。
【手続補正２】
【補正対象書類名】特許請求の範囲
【補正対象項目名】全文
【補正方法】変更
【補正の内容】
【特許請求の範囲】
【請求項１】
指定インテリジェントデバイスがアンバンドリングに成功した旨を指示するためのアンバンドリング通知メッセージを受信するステップと、
確立されたインテリジェントシーンには、前記指定インテリジェントデバイスを用いて設けられた目標インテリジェントシーンが存在しているか否かを検出するステップと、
確立されたインテリジェントシーンには、前記指定インテリジェントデバイスを用いて設けられた目標インテリジェントシーンが存在していれば、前記目標インテリジェントシーンを削除するステップと、を含むことを特徴とするインテリジェントシーン削除方法。
【請求項２】
デスクトップには、削除された前記インテリジェントシーンに対応するデスクトップショートカットが存在しているか否かを検出するステップと、
前記デスクトップには、削除された前記インテリジェントシーンに対応するデスクトップショートカットが存在していれば、前記デスクトップショートカットを削除するステップと、をさらに含むことを特徴とする請求項１に記載のインテリジェントシーン削除方法。
【請求項３】
前記指定インテリジェントデバイスとユーザーアカウント間のバインディング関係を解除するためのアンバンドリング指令を受信するステップと、
前記指定インテリジェントデバイスと前記ユーザーアカウントとのバインディング関係の解除を要求するためのアンバンドリング要求を当該アンバンドリングデバイスへ送信するステップと、をさらに含み、
前記アンバンドリング要求は、前記ユーザーアカウントの各バインディング関係から前記指定インテリジェントデバイスに対応するバインディング関係を削除するように前記アンバンドリングデバイスをトリガし、削除が成功した後で前記アンバンドリング通知メッセージがフィードバックされることを特徴とする請求項１に記載のインテリジェントシーン削除方法。
【請求項４】
確立されたインテリジェントシーンには、前記指定インテリジェントデバイスを用いて設けられた目標インテリジェントシーンが存在しているか否かを検出するステップは、
インテリジェントシーン識別子とインテリジェントデバイス識別子との対応関係から、前記指定インテリジェントデバイスの識別子を有する対応関係があるか否かを検索するサブステップを含み、
前記インテリジェントシーン識別子とインテリジェントデバイス識別子との対応関係は、前記インテリジェントシーンの確立に成功した後で記憶された前記インテリジェントシーンの識別子と前記インテリジェントシーンを確立する時に係るインテリジェントデバイスの識別子との対応関係である、ことを特徴とする請求項１に記載のインテリジェントシーン削除方法。
【請求項５】
確立されたインテリジェントシーンには、前記指定インテリジェントデバイスを用いて設けられた目標インテリジェントシーンが存在していれば、前記指定インテリジェントデバイスが前記目標インテリジェントシーンのトリガ条件を定義するのに用いられているか否かを検出するステップと、
前記指定インテリジェントデバイスが前記目標インテリジェントシーンのトリガ条件を定義するのに用いられていれば、前記目標インテリジェントシーンにおけるトリガ条件を取り替えるか否かを指示待ちするステップと、
取替指令を受信した場合、前記取替指令の指示したインテリジェントデバイスを用いて前記目標インテリジェントデバイスのトリガ条件を取り替えるステップと、をさらに含むことを特徴とする請求項１〜４のいずれか１項に記載のインテリジェントシーン削除方法。
【請求項６】
指定インテリジェントデバイスがアンバンドリングに成功した旨を指示するためのアンバンドリング通知メッセージを受信するように構成される第１の受信モジュールと、
確立されたインテリジェントシーンには、前記指定インテリジェントデバイスを用いて設けられた目標インテリジェントシーンが存在しているか否かを検出するように構成される第１の検出モジュールと、
確立されたインテリジェントシーンには、前記指定インテリジェントデバイスを用いて設けられた目標インテリジェントシーンが存在していると第１の検出モジュールにより検出されれば、前記目標インテリジェントシーンを削除するように構成される第１の削除モジュールと、を備えることを特徴とするインテリジェントシーン削除装置。
【請求項７】
デスクトップには、削除された前記インテリジェントシーンに対応するデスクトップショートカットが存在しているか否かを検出するように構成される第２の検出モジュールと、
前記デスクトップには、削除された前記インテリジェントシーンに対応する前記デスクトップショートカットが存在していると第２の検出モジュールにより検出されれば、前記デスクトップショートカットを削除するように構成される第２の削除モジュールと、をさらに備えることを特徴とする請求項６に記載のインテリジェントシーン削除装置。
【請求項８】
前記指定インテリジェントデバイスとユーザーアカウント間のバインディング関係を解除するためのアンバンドリング指令を受信するように構成される第２の受信モジュールと、
前記指定インテリジェントデバイスと前記ユーザーアカウントとのバインディング関係の解除を要求するためのアンバンドリング要求を当該アンバンドリングデバイスへ送信するように構成される送信モジュールと、をさらに備え、
前記アンバンドリング要求は、前記ユーザーアカウントの各バインディング関係から前記指定インテリジェントデバイスに対応するバインディング関係を削除するように前記アンバンドリングデバイスをトリガし、削除が成功した後で前記アンバンドリング通知メッセージがフィードバックされることを特徴とする請求項６に記載のインテリジェントシーン削除装置。
【請求項９】
前記第１の検出モジュールは、さらに、インテリジェントシーン識別子とインテリジェントデバイス識別子との対応関係から、前記指定インテリジェントデバイスの識別子を有する対応関係があるか否かを検索するように構成され、
前記インテリジェントシーン識別子とインテリジェントデバイス識別子との対応関係は、前記インテリジェントシーンの確立に成功した後で記憶された前記インテリジェントシーンの識別子と前記インテリジェントシーンを確立する時に係るインテリジェントデバイスの識別子との対応関係である、ことを特徴とする請求項６に記載のインテリジェントシーン削除装置。
【請求項１０】
確立されたインテリジェントシーンには、前記指定インテリジェントデバイスを用いて設けられた目標インテリジェントシーンが存在していれば、前記指定インテリジェントデバイスが前記目標インテリジェントシーンのトリガ条件を定義するのに用いられているか否かを検出するように構成される第３の検出モジュールと、
前記指定インテリジェントデバイスが前記目標インテリジェントシーンのトリガ条件を定義するのに用いられていると第３の検出モジュールにより検出されれば、前記目標インテリジェントシーンにおけるトリガ条件を取り替えるか否かを指示待ちするように構成されるプロンプトモジュールと、
取替指令を受信した場合、前記取替指令の指示したインテリジェントデバイスを用いて前記目標インテリジェントデバイスのトリガ条件を取り替えるように構成される取替モジュールと、をさらに備えることを特徴とする請求項６〜９のいずれか１項に記載のインテリジェントシーン削除装置。
【請求項１１】
インテリジェントシーン削除装置であって、
プロセッサと、
前記プロセッサの実行可能な指令を記憶するためのメモリとを備え、
前記プロセッサは、
指定インテリジェントデバイスがアンバンドリングに成功した旨を指示するためのアンバンドリング通知メッセージを受信し、
確立されたインテリジェントシーンには、前記指定インテリジェントデバイスを用いて設けられた目標インテリジェントシーンが存在しているか否かを検出し、
確立されたインテリジェントシーンには、前記指定インテリジェントデバイスを用いて設けられた目標インテリジェントシーンが存在していれば、前記目標インテリジェントシーンを削除するように構成される、ことを特徴とするインテリジェントシーン削除装置。
【請求項１２】
プロセッサに実行されることにより、請求項１から請求項５のいずれか１項に記載のインテリジェントシーン削除方法を実現することを特徴とするプログラム。
【請求項１３】
請求項１２に記載のプログラムが記録された記録媒体。
【国際調査報告】
2017519316.tif 000014
2017519316.tif 000015
2017519316.tif 000016
2017519316.tif 000017
2017519316.tif 000018
2017519316.tif 000019